(57)【要約】    【課題】リンク体に軸支されたローラ軸の軸線方向に対する左右方向の捻りに柔軟に対応可能な搬送チェーンを提供する。    【解決手段】一端に一対の案内ローラ２を有し、他端にＪ字形フック３を有するリンク体１からなり、複数のリンク体１のそれぞれ隣接する一方のリンク体のＪ字形フック３を他方のリンク体における案内ローラ２のローラ軸４に係合させてループ状に連結されてなる搬送チェーンであって、前記各リンク体１のＪ字形フック３におけるローラ軸４と係合する係合穴６をローラ軸４の直径よりやや大きく、かつ、前後方向（チェーンの搬送方向）に長い長円穴として形成する。これにより前記係合穴６とローラ軸４との間に前後方向に遊びが生じ、隣接するリンク体１はローラ軸４の軸線方向に対して前記係合穴６とローラ軸４との間の遊び分だけ左右方向に捻れる。従って、リンク体１を連結した搬送チェーンの経路を上下左右自在に配置することができる。【選択図】        図１
2005231824.tif 000002
【特許請求の範囲】
【請求項１】
一端に案内ローラを有し、他端にＪ字形フックを有するリンク体からなり、複数のリンク体のそれぞれ隣接する一方のリンク体のＪ字形フックを他方のリンク体における案内ローラのローラ軸に係合させてループ状に連結されてなる搬送チェーンにおいて、
前記各リンク体のＪ字形フックにおけるローラ軸との係合穴をチェーンの搬送方向に長い長円穴として形成したことを特徴とする搬送チェーン。
【請求項２】
請求項１記載の搬送チェーンにおいて、各リンク体のＪ字形フックは左右一対のフック片からなり、左右一対のフック片におけるローラ軸との係合穴がチェーンの搬送方向に長い長円穴として形成されていることを特徴とする搬送チェーン。
【請求項３】
請求項１記載の搬送チェーンにおいて、各リンク体のＪ字形フックは左右一対のフック片からなり、左右一対のフック片のうち、ループ状に連結される外周側のフック片におけるローラ軸との係合穴がチェーンの搬送方向に長い長円穴として形成されていることを特徴とする搬送チェーン。
【発明の詳細な説明】
【技術分野】
【０００１】
この発明は、例えば並設されたパチンコ機群の間に適宜配設された玉貸機に投入され、該玉貸機の紙幣識別部で真紙幣として受け入れられた紙幣を回収する紙幣回収装置の搬送装置としての搬送チェーンに関し、特に曲面を持たせた搬送経路に沿って紙幣回収装置を移動させるのに適した搬送チェーンに関する。
【背景技術】
【０００２】
まず、この発明が適用される並設されたパチンコ機群の間に適宜配設された玉貸機に投入された紙幣を回収する紙幣回収装置を図４を用いて説明する。
【０００３】
図４は並設されたパチンコ機群の島に適宜配設された各玉貸機に投入された紙幣を識別し、その識別された紙幣を回収して島ごとに設けた両替機に収納する紙幣回収装置を示す。なお、図４ではパチンコ機群については省略している。図において、１０は玉貸機に設けた紙幣識別部であり、玉貸機に投入された紙幣の真偽を識別し、偽紙幣を返却するとともに真紙幣を受け入れる。１２は紙幣識別部１０で受け入れられた紙幣を一時保留する一時保留部である。１４はパチンコ機群の島に沿って配設された搬送チェーン１６に所定の間隔をおいて取付けられた紙幣回収部であり、搬送チェーン１６により一時保留部１２を通過するときに一時保留された紙幣を受け取って回収する。１８はそれぞれの紙幣回収部１４で回収された紙幣を受け取る収納準備部であり、紙幣回収部１４から受け取った紙幣を後段の両替機２０の紙幣収納部に送り込む。収納準備部１８に紙幣を受け渡した紙幣回収部１４は空の状態で反転して移動し、次の紙幣回収が可能な状態になる（例えば、特許文献１参照）。
【０００４】
次に、搬送チェーン１６を構成するリンク体について図５を用いて説明する。図５において１８はリンク体であり、このリンク体１８の一端には一対の案内ローラ２０が配設され、他端がＪ字形フック２２として形成されている。前記案内ローラ２０は左右一対のリンク片２４に軸支されたローラ軸２６の両端に設けられている。前記Ｊ字形フック２２は左右一対のフック片２８からなり、それぞれのフック片２８の先端側にはローラ軸２６を受け入れる案内溝３０に連なる係合穴３２が形成されている。前記係合穴３２はローラ軸２６の形状に合わせて円形に形成されている。前記リンク体１８は隣接する一方のリンク体１８のローラ軸２６に他方のリンク体１８のＪ字形フック２２に形成された係合穴３２を係合させることによりそれぞれ連結される。なお、３４は図４に示した紙幣回収部１４と係合して紙幣回収部１４を保持する保持部である。
【０００５】
前記リンク体１８をそれぞれ連結して形成された搬送チェーン１６は図６に示すような案内レール３６に案内されて移動する。前記案内レール３６は並設されたパチンコ機群の島に沿って配設されている。案内レール３６は搬送チェーン１６を構成するリンク体１８に設けられた左右一対の案内ローラ２０を左右から挟み込むとともに左右の案内ローラ２０の上下を挟み込むように形成されている。また、案内レール３６はリンク体１８に形成された保持部３４に対応する箇所が切り欠かかれている。この案内レール３６に嵌め込まれた搬送チェーン１６は案内ローラ２０が案内レール３６の上下内面を転動して案内される。
【特許文献１】特開平５−６２０５４号公報
【発明の開示】
【発明が解決しようとする課題】
【０００６】
前記搬送チェーン１６のリンク体１８はローラ軸２６の軸線に対して上下方向には回動することができるが、その軸線の左右方向の捻りが規制される。すなわち、図５に示すようにリンク体１８のＪ字形フック２２の係合穴３２はローラ軸２６の形状に合わせて円形に形成されていることから、図５（ｂ）の上下方向には回動可能であるが、図５（ａ）の左右方向にはローラ軸２６と係合穴３２の隙間に応じた分だけしか回動することができないように規制される。このことは、図４に示すように搬送チェーン１６を折り返しにより楕円の軌跡を辿るようループ状に配設することが可能であるが、リンク体１８の左右方向への捻り、すなわち、搬送チェーン１６の上下の辺は直線状に制約されることを意味し、パチンコ機などを直線状に並設した遊戯施設のみにしか適用することができないという問題を有する。また、昨今では敷地面積の大小に係わらず見栄えをよくするために遊戯施設の建物外観に曲面を持たせた施設も出現しており、その建物の曲面に合わせてパチンコ機群の島を配置することが望まれていることからも、曲面を持たせて並設されたパチンコ機群に合わせて曲面を有する搬送経路に沿って紙片回収部１４を移動可能とする搬送チェーンの出現が望まれている。
【０００７】
本発明は上記の点に鑑みなされたものであり、その目的は前記課題を解決し、リンク体に軸支されたローラ軸の軸線方向に対する左右方向の捻りに柔軟に対応可能な搬送チェーンを提供することにある。
【課題を解決するための手段】
【０００８】
上記目的を達成するために本発明によれば、一端に案内ローラを有し、他端にＪ字形フックを有するリンク体からなり、複数のリンク体のそれぞれ隣接する一方のリンク体のＪ字形フックを他方のリンク体における案内ローラのローラ軸に係合させてループ状に連結されてなる搬送チェーンにおいて、前記各リンク体のＪ字形フックにおけるローラ軸との係合穴をチェーンの搬送方向に長い長円穴として形成したことを特徴とする（請求項１）。
【０００９】
前記各リンク体のＪ字形フックは左右一対のフック片からなり、左右一対のフック片のうち、ループ状に連結される外周側のフック片におけるローラ軸との係合穴がチェーンの搬送方向に長い長円穴として形成するのがよい（請求項２）。
【００１０】
また、前記各リンク体のＪ字形フックは左右一対のフック片からなり、左右一対のフック片におけるローラ軸との係合穴がチェーンの搬送方向に長い長円穴として形成するのがよい（請求項３）。
【発明の効果】
【００１１】
請求項１に記載した本発明においては、一端に案内ローラを有し、他端にＪ字形フックを有するリンク体からなり、複数のリンク体のそれぞれ隣接する一方のリンク体のＪ字形フックを他方のリンク体における案内ローラのローラ軸に係合させてループ状に連結されてなる搬送チェーンにおいて、前記各リンク体のＪ字形フックにおけるローラ軸との係合穴をチェーンの搬送方向に長い長円穴として形成したことにより、前記長円穴とローラ軸との間の遊び分だけ各リンク体の連結部分をローラ軸の軸線方向に対して左右方向に捻ることができる。
【００１２】
また、請求項２に記載した搬送チェーンにおいては、パチンコ機群の島が楕円状に配置されている場合に好適である。
【００１３】
さらに、請求項３に記載した本発明においては、各リンク体のＪ字形フックは左右一対のフック片からなり、左右一対のフック片におけるローラ軸との係合穴がチェーンの搬送方向に長い長円穴として形成したことにより、搬送チェーンを左右のいずれの方向にも捻ることが可能となり、例えばパチンコ機群の島の形状を異形の形状とすることもできる。
【発明を実施するための最良の形態】
【００１４】
以下、本発明の実施の形態を図に示す実施例により説明する。図１は本発明の実施例を示す搬送チェーンの要部構造の横断面図である。
【００１５】
図示実施例において１はリンク体であり、このリンク体１の一端には一対の案内ローラ２が配設され、他端がＪ字形フック３として形成されている。前記案内ローラ２は左右一対のリンク片２ａ，２ｂに軸支されたローラ軸４の両端に設けられている。前記Ｊ字形フック３は左右一対のフック片３ａ，３ｂからなり、それぞれのフック片３ａ，３ｂの先端側にはローラ軸４を受け入れる案内溝５に連なる係合穴６が形成されている。この実施例が従来装置と異なる点は前記係合穴６の形状である。すなわち、前記係合穴６はローラ軸４の直径よりやや大きく、かつ、前後方向を向く楕円状、すなわち、搬送チェーンの搬送方向に長い長円穴として形成されている。なお、後述する紙幣回収部と係合して紙幣回収部を保持する保持部７を備える点は従来装置と同一である。
【００１６】
前記リンク体１は隣接する一方のリンク体１のローラ軸４に他方のリンク体１のＪ字形フック３に形成された係合穴６を係合させることによりそれぞれ連結される。図１に示すリンク体１を連結した搬送チェーン８の平面図を図２に示す。この図から明らかなように、この実施例の搬送チェーン８は、リンク体１におけるＪ字形フック３に形成した係合穴６とローラ軸４との前後方向の遊び分だけ各リンク体１の連結部分をローラ軸４の軸線方向に対して左右方向に捻る（図の場合には搬送方向に対して左にθだけ捻る）ことができる。従って、係合穴６を搬送チェーンの搬送方向に長い長円穴として形成することにより楕円半径を小さくすることができる。
【００１７】
なお、前記実施例ではリンク体１におけるＪ字形フック３を形成する左右一対のフック片３ａ，３ｂにそれぞれ係合穴６を形成したものについて説明したが、係合穴６をフック片３ａ，３ｂのいずれか一方のみに設け、他方のフック片には従来装置と同様の係合穴（ローラ軸４に合わせた円形穴）とすることもできる。この場合には、係合穴６を形成したフック片の側を曲面の外周側とし、従来装置の同様の係合穴を形成したフック片の側を曲面の内周側とする。
【００１８】
前述した実施例の搬送チェーン８は、図４で示した楕円状に並設されたパチンコ機群の間に適宜配設された玉貸機に投入された紙幣を回収する紙幣回収装置の搬送装置としての搬送チェーンに適用することができる。
【００１９】
この場合の搬送チェーンと紙幣回収部との関係を図３に示す。図３において、８で再び搬送チェーンを示し、この搬送チェーン８を形成するリンク体１の保持部７に紙幣回収部１４が取り付けられる。すなわち、保持部７の凹部７１に紙幣回収部１４の凸部（不図示）が嵌合され、紙幣回収部１４の左右の爪１４ａが保持部７の側面に形成した係止溝７２に係止され、これにより紙幣回収部１４が搬送チェーン８に連結される。図示状態は紙幣回収部１４に紙幣Ｂが把持されている状態を示す。このような紙幣回収装置の搬送装置に本発明を適用した場合、本発明の搬送チェーンによればパチンコ機群の島の半径を従来装置に対して小さくすることができる。
以上述べた本発明は、楕円状に並設されたパチンコ機群の間に適宜配設された玉貸機に投入された紙幣を回収する紙幣回収装置の搬送装置としての搬送チェーンに適用することができる。
【図面の簡単な説明】
【００２０】
【図１】本発明の実施例を示す搬送チェーンの要部構造を示し、（ａ）はリンク体の平面図、（ｂ）はリンク体の側面図
【図２】図１に示すリンク体を連結した搬送チェーンの平面図
【図３】図２に示す搬送チェーンと紙幣回収部との連係を示す斜視図
【図４】本発明が適用される紙幣回収装置の概略図
【図５】従来の搬送チェーンを形成するリンク体を示し、（ａ）はリンク体の平面図、（ｂ）はリンク体の側面図
【図６】搬送チェーンを案内する案内レールの横断面図
【符号の説明】
【００２１】
１    リンク体
２    案内ローラ
２ａ    リンク片
３    Ｊ字形フック
３ａ    フック片
６    係合穴（長円穴）
８    搬送チェーン
【図１】
2005231824.tif 000003
【図２】
2005231824.tif 000004
【図３】
2005231824.tif 000005
【図４】
2005231824.tif 000006
【図５】
2005231824.tif 000007
【図６】
2005231824.tif 000008